(57)【要約】【課題】スキャナと印字ユニットとを備え、冊子媒体の頁が折れていることを確実に検出することを可能とした冊子媒体折れ検出システムを提供することである。【解決手段】提案する冊子媒体折れ検出システムは、冊子媒体の印字面上の頁マークを読み取るスキャナ部１２と、前記読み取った頁マークが有効であるか無効であるかを判定する頁マーク有効無効判定部６と、前記読み取った頁マークが無効であると判定された場合、前記冊子媒体を返却する媒体返却部１３と、を有する。【選択図】図３
2012158074.tif 000002
【特許請求の範囲】
【請求項１】
冊子媒体の印字面上の頁マークを読み取るスキャナ部と、
前記読み取った頁マークが有効であるか無効であるかを判定する頁マーク有効無効判定部と、
前記読み取った頁マークが無効であると判定された場合、前記冊子媒体を返却する媒体返却部と、を有することを特徴とする冊子媒体折れ検出システム。
【請求項２】
前記頁マークは互いに平行な複数のラインを有し、
前記冊子媒体の印字面は隅部に頁マークが印字されており、頁マークの印字面の裏面に縦横ラインが縁取られており、
前記頁マーク有効無効判定部は、前記読み取った頁マークを含む画像中のラインの方向が前記頁マークが有する各ラインと同方向であるかどうか、あるいは、前記読み取った頁マークを含む画像内に画像の端まで達したラインがあるかどうかを判定することで、前記頁マークの有効・無効を判定することを特徴とする請求項１記載の冊子媒体折れ検出システム。
【請求項３】
冊子媒体上の磁気ストライプ情報を読み取る磁気ストライプ読取り部と、
冊子媒体についての情報を顧客毎に記憶する冊子媒体情報記憶部と、
前記読み取った頁マークが有効であると判定された場合、前記読み取った磁気ストライプ情報に対応する前記冊子媒体についての情報中の、未印字分取引履歴データを前記冊子媒体に印字する印字処理部と、をさらに有することを特徴とする請求項１記載の冊子媒体折れ検出システム。
【請求項４】
スキャナ部を用いて冊子媒体の印字面上の頁マークを読み取り、
ファームウェアにより前記読み取った頁マークが有効であるか無効であるかを判定し、
前記読み取った頁マークが無効であると判定された場合、媒体搬送部を駆動して前記冊子媒体を返却する、ことを特徴とする冊子媒体折れ検出方法。
【発明の詳細な説明】
【技術分野】
【０００１】
本発明は、通帳などの冊子媒体の文字やバーコード等を読み取るスキャナと、冊子媒体に対し印字を行う印字ユニットとを備えた通帳プリンタユニット、および、ホストコンピュータを有する冊子媒体折れ検出システムに関する。
【背景技術】
【０００２】
冊子媒体（例えば通帳）の印字内容をスキャナで読み取り、印字ユニットによりさらにその通帳に印字を行う通帳プリンタユニットが知られている。
この通帳プリンタユニットを有する自動預金支払機（ＡＴＭ、Automated Teller Machine）では、通帳の何頁まで印字が終了している、最終頁の何行まで印字が終了している、等の磁気ストライプ（ＭＳ、Magnetic Stripe）内の情報を参照して、次に印字を開始する頁・行を特定している。
【０００３】
通帳の印字する各頁の左上には頁マーク（バーコード）が印字されており、この頁マークを含むスキャナ読取領域を、通帳プリンタユニットのスキャナは読み取って、通帳の開かれている頁を認識している。
【０００４】
通帳の頁マークをスキャナで読み取る際に、その頁が折れていて、その頁の左上にある頁マークの一部が隠れてしまうことがある。この場合、図８に示すように、端折れで通帳３０のスキャナ読取領域３１内のバーコードのラインが隠れて頁マークを正しく読み取ることができずに、頁を誤認識してしまい、結果として、一度印字した頁に二重に印字したり、または、頁を飛ばして印字したりする、という問題がある。
【０００５】
なお、特許文献１には、厚さ検知手段により帳票類の厚さの分布に異常を検知したときに、中紙の折れ曲がりを防ぐように加勢手段が動作する帳票類の頁めくり装置が示されている。
【先行技術文献】
【特許文献】
【０００６】
【特許文献１】特開平０９−０６６６８６号公報
【発明の概要】
【発明が解決しようとする課題】
【０００７】
本発明は、上記問題を解決するためになされたものであり、スキャナと印字ユニットとを備え、冊子媒体の頁が折れていることを確実に検出することを可能とした冊子媒体折れ検出システムおよび方法を提供することを目的とする。
【課題を解決するための手段】
【０００８】
提案する冊子媒体折れ検出システムは、冊子媒体の印字面上の頁マークを読み取るスキャナ部と、前記読み取った頁マークが有効であるか無効であるかを判定する頁マーク有効無効判定部と、前記読み取った頁マークが無効であると判定された場合、前記冊子媒体を返却する媒体返却部と、を有する。
【０００９】
例えば、前記頁マークは互いに平行な複数のラインを有し、前記冊子媒体の印字面は隅部に頁マークが印字されており、頁マークの印字面の裏面に縦横ラインが縁取られており、前記頁マーク有効無効判定部は、前記読み取った頁マークを含む画像中のラインの方向が前記頁マークが有する各ラインと同方向であるかどうか、あるいは、前記読み取った頁マークを含む画像内に画像の端まで達したラインがあるかどうかを判定することで、前記頁マークの有効・無効を判定する。
【発明の効果】
【００１０】
提案する冊子媒体折れ検出システムでは、冊子媒体の印字面が折れて、頁マークが隠れてしまう場合でも、頁マークの印字面の裏面の縁取りの縦横ラインが頁マークの位置に来て、スキャナ部により、縁取りの縦横ラインを含んだ形で頁マークが読み取られる。そして、頁マーク有効無効判定部は、読み取った頁マークを含む画像中のラインの方向が頁マークが有する各ラインと同方向であるかどうか、あるいは、前記読み取った頁マークを含む画像内に画像の端まで達したラインがあるかどうかを判定することで、読み取った頁マークの有効・無効を判定する。
【００１１】
これにより、頁が折れてしまい、頁マークを構成する各ライン（各バー）のいくつかが隠れていても、画像中の縁取りの縦横ラインを本来ありえない画像として認識することで、冊子媒体の頁が折れていることを確実に検出することができる。
【図面の簡単な説明】
【００１２】
【図１】本発明の一実施形態に係る冊子媒体折れ検出システムを示す図である。
【図２Ａ】ＡＴＭの機能ブロック図である。
【図２Ｂ】ＡＴＭの外観図である。
【図３】通帳プリンタユニットの概略を示す断面図である。
【図４】冊子媒体を開いた状態を示す図である。
【図５】頁マークが正常であるかどうかの判定方法を示す図である。
【図６】冊子媒体折れ検出処理のシステムフローを示す図である。
【図７】冊子媒体の変形例を示す図である。
【図８】従来の冊子媒体を示す図である。
【発明を実施するための形態】
【００１３】
以下、本発明に係る実施の形態について図面を参照して詳細に説明する。
図１は、本発明の一実施形態に係る冊子媒体折れ検出システムを示す図である。
図１に示すように、本実施形態の冊子媒体折れ検出システムでは、ホストコンピュータ１に、複数台の自動預金支払機（ＡＴＭ）２−１、２−２、・・・がＬＡＮ（Local Area Network）３を通して接続されている。
【００１４】
図２Ａは、ＡＴＭの機能ブロック図である。
図２Ａに示すように、 ＡＴＭ５は、通帳プリンタユニット６、現金ユニット７、制御部８、を有する。
【００１５】
図２Ｂは、ＡＴＭ５の外観を示す斜視図である。
ＡＴＭ５には、複数の機能がユニット化されて収納されている。これらのユニットには、ＡＴＭ５の接客面側に設けられた前面パネルの開口部を介して直接アクセスできるように構成されている。たとえば、通帳を取り扱うユニットは、その通帳操作口６が対応する開口部に位置しており、カードを取り扱うユニットは、そのカード操作口が対応する開口部に位置している。また硬貨、紙幣を取り扱う現金ユニット７、制御部８及び表示・操作を行うユニット９が、それぞれＡＴＭ５の内部に配置されている。
【００１６】
制御部８は、ホストコンピュータ１にＬＡＮ３を通して接続されるとともに、通帳プリンタユニット６、現金ユニット７を制御する。
なお、現金ユニット７は本実施形態の処理とは直接関係ないので詳述しないが、現金ユニット７内のカセットに現金（例えば紙幣）を収納したり、カセットから現金を排出したりする動作等を行なう。
【００１７】
図３は、通帳プリンタユニット６の概略を示す断面図である。
図３に示すように、通帳プリンタユニット６は、冊子媒体１６に対する印字を行う媒体印字ユニット１１、冊子媒体１６上の頁マークを読み取るイメージスキャナユニット１２、開かれた状態の冊子媒体１６を挟んで搬送する媒体搬送ユニット１３、冊子媒体１６上の磁気ストライプ（ＭＳ）から媒体情報（磁気ストライプ情報）を読み取るとともに、処理で更新された磁気ストライプ情報をＭＳに書き込む磁気テープリードライトユニット１５、を有する。
【００１８】
冊子媒体（例えば通帳）１６は、冊子媒体１６に当接する搬送ユニット１３の搬送ローラ（不図示）に挟まれて搬送され、所定の位置に達したときに停止され、その所定の位置で磁気テープリードライトユニット１５により、冊子媒体１６上の磁気ストライプ（ＭＳ）の磁気ストライプ情報を読み取られるとともに、イメージスキャナユニット１２により、冊子媒体１６上の開かれている頁の左上（搬送方向前方を上とする）の頁マーク（バーコード）を読み取られる。
【００１９】
そして、現在開かれている冊子媒体１６上の頁に印字してもよいかどうかを、冊子媒体１６に対する、通帳の最終更新頁（何頁まで印字が終了しているか）、頁マークの読取結果は正常かどうかの判定結果等の情報を基に判定する。現在開かれている頁が印字が終了している最終頁でない場合には頁めくりが必要になる。
【００２０】
頁めくりが必要である場合は、媒体搬送ユニット１３の頁めくり機構（不図示）の頁めくり用のローラ（通常、順方向のめくり用のローラ、逆方向のめくり用のローラ、の２つがある）が通帳の印字面の必要な位置に当接して頁めくりを行う。なお、頁めくり機構は公知の技術であり、ここでは、詳述しない。
【００２１】
図４は、冊子媒体を開いた状態を示す図である。
図４の右側に示すように、冊子媒体１６を開いたときの表紙面側には、磁気ストライプ（ＭＳ）１９が設けられている。図４の冊子媒体１６では、図３の断面図の挿入方向からは、磁気ストライプ（ＭＳ）１９は搬送方向後方の右側に設けられている。
【００２２】
図４の左側に示すように、冊子媒体１６を開いたときの印字面側には、左上に頁を識別するための頁マーク（バーコード）１８が設けられるとともに、左下に頁折れ検出のための縁取りの縦横ライン１７が設けられている。図４の冊子媒体１６では、図３の断面図の挿入方向からは、頁マーク１８は搬送方向前端部の左側に設けられ、縦横ライン１７は搬送方向後端部の左側に設けられている。なお、頁マーク１８は、一般に太さが互いに異なってもよく、且つ、互いに平行な複数のラインを有する。図４の場合、頁マーク１８は、上の細い２本のラインと、下の太い１本のラインを有する。
【００２３】
縦横ライン１７の裏面には次の頁の頁マークが存在する。また、同様に、頁マーク１８の裏面も１つ前の頁の縦横ラインで対応箇所が縁取られている。
この縦横ライン１７は、次の頁が折れて頁マークが隠れたときに、その頁マーク周辺に来るように、その次の頁の頁マークがある隅（角）の裏面（すなわち、この縦横ライン１７がある面）の角を中心とする所定範囲に縦および横のラインとして設けられる。
【００２４】
図５は、頁マークが正常であるかどうかの判定方法を示す図である。
図５に示すように、冊子媒体１６の印字面が折れて、頁マークが隠れてしまった場合、頁マークの裏面の角を中心とする所定範囲に設けられた縦横ライン２２が頁マークが元あった場所に重なり、スキャナ読取領域２１内に入ってくる。
【００２５】
この状態で、イメージスキャナユニット１２による読み取りを行うと、頁マーク読取情報（端折れで頁マークが隠れているときの読取画像）２４が読み取ったデータとして得られる。端折れで頁マークが隠れているときの読取画像２４では、端折れで頁マークを構成する各ライン（ここでは３本のライン）のうちのいくつか（ここでは上の細い２本のライン）が隠れていても、頁マークの残りのライン（ここでは下の太い１本のライン）の他に、縁取りの縦横ラインが画像中にあるため読み取った画像は異常であると判断できる（従来は、このケースでは、下の太い１本のラインのみ読み取られ、対応する頁マークが存在した場合には正常と判定されていた）。例えば画像中のラインの方向が頁マークの各ラインと同方向であるかどうか、読取領域２４内に端からのライン（領域２４の端まで達しているライン）があるかどうかを判断することで、読み取った画像の異常を判断できる。
なお、頁マーク読取情報２３は、頁折れがない正常時の読取画像である。
【００２６】
図６は、冊子媒体折れ検出処理のシステムフローを示す図である。
このフローの処理はホストコンピュータ１とＡＴＭ５（制御部８と通帳プリンタユニット６）により実行される。
【００２７】
図６のステップＳ１で、冊子媒体（例えば通帳）１６がＡＴＭ５の吸入口から吸入される。その後、冊子媒体（例えば通帳）１６は、冊子媒体１６に当接する搬送ユニット１３の搬送ローラ（不図示）に挟まれて搬送され、所定の位置に達したときに停止される。
【００２８】
そして、ステップＳ２で、その所定の位置で磁気テープリードライトユニット１５により、冊子媒体１６上の磁気ストライプ（ＭＳ）の磁気ストライプ情報が読み取られる。この読み取られた情報（磁気ストライプ情報）は、ステップＳ３で、制御部８を通してホストコンピュータ１に送信され、ステップＳ４で、ホストコンピュータ１において、通帳ＤＢ（通帳データベース、不図示）の対応する通帳情報と照合される。
【００２９】
ホストコンピュータ１が保持する通帳情報と、磁気ストライプ情報とは、ともに、口座情報（支店コード、口座番号、等）、最終更新頁（どの頁まで印字したか）、最終印字行（どの行まで印字したか）、等をもつものとする。
【００３０】
ステップＳ４での照合処理では、通帳情報と磁気ストライプ情報とで最終更新頁、最終印字行は一致するか、等が照合される。例えば最終更新頁、最終印字行が一致した場合、照合ＯＫとなり、照合結果（照合ＯＫ）とともに、未印字の取引履歴があれば、その未印字分データがＡＴＭの通帳プリンタユニット６に送信される。
【００３１】
照合結果等を制御部８を通して受信した通帳プリンタユニット６では、照合結果が照合ＯＫであった場合、ステップＳ５で、イメージスキャナユニット１２により、冊子媒体１６上の開かれている頁の左上（搬送方向前方を上とする）の頁マーク（バーコード）が読み取られる。
【００３２】
なお、図６には示していないが、ステップＳ４の照合結果が照合ＮＧであった場合、ステップＳ５の処理は行われずに通帳が返却され、そのＮＧの内容に応じたメッセージが出力される。
【００３３】
続くステップＳ６では、ステップＳ２で読み取った磁気ストライプ情報中の最終更新頁に対応する、各頁マークの画像を記憶したメモリ（不図示）中の頁マークの画像と、ステップＳ５でイメージスキャナユニット１２により読み取られた頁マークの画像とが一致するかどうかが判定される。
【００３４】
ステップＳ６で磁気ストライプ情報中の最終更新頁の頁マークと、読み取られた頁マークとが一致すると判定された場合（ステップＳ６の判定結果がＹＥＳの場合）、すなわち、現在冊子媒体において最終更新頁が開かれている場合、ステップＳ９で、ステップＳ３で受信した未印字の取引履歴のデータを媒体印字ユニット１１により冊子媒体の印字面に印字する。
【００３５】
続くステップＳ１０で、冊子媒体の磁気ストライプ情報の更新処理が行われる。例えば、未印字のデータが印字されることにより、最終更新頁、最終印字行が更新される。
そして、ステップＳ１１で、磁気ストライプ情報が制御部８を介してホストコンピュータ１に送信される。この送信データには、ステップＳ１０で更新された磁気ストライプ情報の他に、未印字のデータの印字処理が正常に完了したかどうか等の情報も含まれる。
【００３６】
ステップＳ１２でＡＴＭから磁気ストライプ情報等を受信したホストコンピュータ１は、磁気ストライプ情報中の最終更新頁、最終印字行で、対応する顧客の通帳情報を更新する。また、未印字のデータの印字処理が正常に完了している場合には、対応する顧客の通帳情報中の未印字のデータをクリアする。そして、データの受信が正常に完了したかどうかを示す応答を通帳プリンタユニット６に返信する。
【００３７】
ホストコンピュータ１からの応答をステップＳ１１で受け取った通帳プリンタユニット６は、続くステップＳ１３で媒体搬送ユニット１３を駆動して冊子媒体（例えば通帳）を外部に排出し、通帳を返却し、一連の処理が終了する。
【００３８】
一方、ステップＳ６で磁気ストライプ情報中の最終更新頁の頁マークと、読み取られた頁マークとが一致しないと判定された場合（ステップＳ６の判定結果がＮＯの場合）、ステップＳ７で、頁異常であるかどうか、すなわち、読み取った頁マークの情報が正常であるか異常であるかを判定する。
【００３９】
ステップＳ７で頁異常であると判定された場合（ステップＳ７の判定結果がＹＥＳの場合）、すなわち、読み取った頁マークの情報が異常（無効）であると判定された場合、ステップＳ１３で媒体搬送ユニット１３を駆動して冊子媒体（例えば通帳）を外部に排出し、通帳を返却し、一連の処理を終了する。なお、この通帳返却時に「通帳の端が折れています。折れを戻して再挿入してください。」等のメッセージをＡＴＭ５から表示して顧客に適切な対応をとってもらうようにする。
【００４０】
ステップＳ７で頁異常であると判定された場合の処理についてさらに詳しく説明する。この場合、通帳プリンタユニット６のファームウェア（不図示）は、読み取った頁マークを含む画像（頁マーク読取情報）中のラインの方向がメモリ（不図示）に格納された対応する頁の頁マークの各ラインと同方向であるかどうか、あるいは、頁マークを含む画像内に端からのライン（画像の端まで達しているライン）があるかどうかを判定することで、頁マークを含む画像が正常であるか異常であるかを判定する。具体的には、ファームウェアは、読み取った頁マークを含む画像中に、メモリ（不図示）に格納された対応する頁の頁マークの各ラインと方向が同じでないラインが含まれていたり、頁マークを含む画像内に端からのラインがある場合に、読み取った頁マークの情報が異常（無効）であると判定する（それ以外の場合は正常（有効）であると判定する）。
【００４１】
これにより、頁が折れてしまい、頁マークを構成する各ライン（各バー）のいくつかが隠れていても、画像中の縁取りの縦横ラインを本来ありえない画像として認識することで、冊子媒体の頁が折れていることを確実に検出することができる。
【００４２】
一方、ステップＳ７で頁異常ではないと判定された場合（ステップＳ７の判定結果がＮＯの場合）、すなわち、読み取った頁マークの情報が正常（有効）であると判定された場合、ステップＳ８で媒体搬送ユニット１３を駆動して冊子媒体（例えば通帳）の頁めくり処理を実施し、ステップＳ６に制御を移す。
【００４３】
なお、以上の説明では、図５に示すように、縁取りの縦横ライン２２は、通帳の隅（角）を中心とした所定範囲に設けていたが、通帳の両面を黒や模様で縁取るようにしてもよい。この場合でも、図７に示すように、端折れで通帳２８のスキャナ読取領域２５内のバーコードのラインが隠れて頁マークを正しく読み取ることがでない場合に、読み取った頁マークの異常を認識することで、頁折れを確実に検出することができる。
【符号の説明】
【００４４】
１      ホストコンピュータ
２−１、２−２、５      ＡＴＭ
３      ＬＡＮ
６      通帳プリンタユニット
７      現金ユニット
８      制御部
１１      媒体印字ユニット
１２      イメージスキャナユニット
１３      媒体搬送ユニット
１５      磁気テープリードライトユニット
１６、２８、３０      冊子媒体
１７、２２、２６      縁取りの縦横ライン
１８      頁マーク
１９      磁気ストライプ（ＭＳ）
２１、２５、３１      スキャナ読取領域
２３、２４      頁マーク読取情報
【図１】
2012158074.tif 000003
【図２Ａ】
2012158074.tif 000004
【図３】
2012158074.tif 000005
【図６】
2012158074.tif 000006
【図７】
2012158074.tif 000007
【図８】
2012158074.tif 000008
【図２Ｂ】
2012158074.tif 000009
【図４】
2012158074.tif 000010
【図５】
2012158074.tif 000011